(57)【要約】      （修正有）【課題】自分自身から発する排泄の音が周囲に漏れることなく、心置きなくトイレで用が足せる装置を提供する。【解決手段】元の位相に逆転した位相を重ね合わせることで音を打消し合うアクティブ・ノイズ・コントロールの技術を利用する。【選択図】図２
0003170548.tif 000002
【実用新案登録請求の範囲】
【請求項１】
用便中に発する排泄の音をアクティブ・ノイズ・コントロールを利用して消去する装置。
【考案の詳細な説明】
【技術分野】
【０００１】  本考案は、用便中の排泄の音を消去或いは可能な限り小さくする技術を組み合わせた装置に関するものである。
【背景技術】
【０００２】  元の位相に逆転した位相を重ね合わせることで音を打ち消し合うアクティブ・ノイズ・コントロールの技術を利用した装置を使う。その為にまず目的の音をマイクで拾い、アンプでコントロールする。
【考案が解決しようとする課題】
【０００３】  現在の東京のように何処にでも快適なトイレの設備があり、気軽に使えるにもかかわらず、夜になると渋谷や新宿の酔っ払いなどは物陰に隠れて用を足していて、あまり威張れたものではないが、世界に目を向けると、大都会にありながら現在でもトイレの設備が無く、用便は家の外で，たとえば道端の物陰で、草むらの中で、線路の上で等、まさに所構わずといった暮らしを強いられている人も多い。
【０００４】  そうであればトイレの設備があるだけまだましかもしれない。と言うのも、未だにオマルが部屋の中に置いてあり、夜中にはそれで用を足す人々もいる。寒い地域ではトイレが外部にあり、そこで用を足すとなれば、そのこと自体が命がけともなりかねない事情もあり、臭いや音に対しては鈍感にならざるを得ない。歴史的に見ても、怖い病気が慢延し多数の人が死に至るような事態にでもならなければ、わざわざトイレを設置しようという気も起こらないのだろう。外国でトイレが各寝室にそれぞれ併設されている家もあるのは、元々そんな歴史的背景があるからではないだろうか。
【０００５】  一方、その後始末についても最近温水を使い始めた日本人に対して、インドや東南アジアの都会ではトイレット・ペーパーを使う若者が急増しているという流行のようなものもある。
【０００６】  このように排泄の時のスタイルや設備に関しては時代により民族により多種多様。しかし，その時の音については一様に無頓着な人が大多数である。言い換えると、日本の女性のようにその音が他所に漏れることに神経質になる人は非常に少ない。
【０００７】  もっとも、日本の女性がその音について神経質になるのも分からないでもない。何故なら排泄時の音量は体の構造の違いからか、男性の７０ホン程度に比べて女性は８０ホンを超えるといわれている。であれば、その音はかなり大きく渋谷の雑踏の中に居るのと変わらない。そうであれば、その音の漏れを気にすることも、また恥ずかしく思うメンタリティについても肯けなくもない。とはいうものの、海外に目を向けると日本では考えられないような事情もいろいろとある。
【０００８】  小さな個室の中で起こる事故や犯罪に対処する為、足元に隙間を空けたドアーも多い。そのドアーすら無く、皆が仲良く横一列に並んで座り用を足している所では、排泄の音など問題になりようが無い。普段の生活をそんな環境の中で暮らしていて、些細な物事に動じない人が多数を占める中で、日本の女性はその音に関してかなり繊細で個性的な感性を持っていると言える。
【０００９】  自分自身から発するそのような音についての気ずかいは、こんな時にも表れる。彼女らはラーメンやうどんを食べる時、日本人独特のずるずる啜る音を嫌う。それなら多くの国の人がしているようにレンゲやスプーンで麺やスープを掬い、そのまま口の中に放り込めば良いものを、一旦レンゲやスプーンの上に載せ、それを再び箸で掬い口の中に持っていくという特異な方法を編み出した。こうすると麺を啜る音が小さくなると考えたようだ。この小皿や椀を持ち上げるような食べ方を下品と感じる外国人は多いが、彼女らにとって、食事の時に肘をつこうが足を組もうが、はたまた車内でお化粧をしようが、その所作が他人の目にどう映ろうと我関せず。どう聞こえるかが関心の的。ところが音の発生元が自分自身で無いのならば、例えば街の騒音などに関しても案外鷹揚である。この点に関しては欧米の白人と真逆。彼らは鼻を啜る音が嫌いらしく、食事中でも大きな音で鼻をかむことなどへっちゃらだが、街の騒音に関してはデリケートだ。まさにイスタンブールを境にして、寂しいくらい静かな西洋と、音の溢れ返った東洋といった図式になる。その中でも雑多な音が際立つ日本の大都会に住みながら、こと体から出る音については日本の女性は独特で繊細な感性を持っていると言える。
【００１０】  そのことを裏ずけるように、トイレの使用中にマスキング効果を期待してＢＧＭで音楽や小川のせせらぎの音を流している所もある。もっともこの音は如何にもと言う気がしないでもない。そこで、その解決策としてアクティブ・ノイズ・コントロールの技術を利用して排泄の音そのものを打ち消すことが最良の方法と考えられる。
【課題を解決するための手段】
【００１１】  マイクは指先程の大きさのエレクトリック・マイクを使用し、目的の音のみを拾い不必要な音はカットするように指向性の鋭いものが良く、インピーダンスは６００オームとする。そのマイクは防水加工を施し、目的の音を拾い易く、水濡れの心配も無い所に吸盤やシャフトを使って固定する。マイクのスタンド部分はプラスチック製で、折り曲げの出来るストローのように蛇腹になっていて任意の角度に曲げられる。
【００１２】  アンプは単体として壁などに固定するものだけでなく、スピーカー・ボックスの中に組み込むものもある。どちらのものも元の位相に逆転した位相を重ね合わせることで音を打ち消しあうアクティブ・ノイズ・コントロールの技術を利用するので、コントロール・アンプ部分で入出力の比を微調整することが可能なものとする。
【００１３】総合的なパワーはスピーカーの能率によって大きく左右されるので、応答性に優れた能率の良いスピーカーを出力控え目のパワー・アンプで駆動したい。そこで、パワー・アンプの出力はせいぜい１０ワット程度とする。また、節電の為には使用時のみ電源が入るようにトイレのドアー等に接点を設けることが望ましい。
【００１４】  スピーカーに余計な低音域が大きな入力で入ることが無いよう、オクターブあたり１２デシベルで低音域をカットすることも考えられる。その場合、これらの微調整つまみと電源用オン・オフ・スイッチをスピーカー・ボックス又はアンプの前面或いは操作し易い適当な場所に取り付ける。電源としては家庭用の交流１００ボルトを変換して落として使うか、直流９乃至１２ボルトのものを直接使用する。
【００１５】  スピーカーは軽くて応答性の良い、防水処理したコーン型で、１ワットの入力に対して１メートルの地点で少なくとも８０デシベル、出来れば９０デシベル以上の高能率のものを１６０から６０００ヘルツ程度の再生帯域で使用する。その為，口径１００ミリのフルレンジ型ならば１個又は２個、６０ミリのものを使用するときは４個並列駆動する。それらを収めるスピーカー・ボックスは２種類あり、基本的な形としては一つは直方体、今一つは三角柱である。壁に掛ける場合は前者で、便座の下に挟み込む場合は後者となる。前者の方は形も使い方も一般的である。後者の方は形も使い方も特殊なのでここに説明を補足する。
【００１６】  直方体のスピーカー・システムは便器前部の斜め上方、又は後部上方にシャフト等を使って壁か便座に固定する。便器本体と便座の間に挟み込む三角柱のスピーカー・システムの場合は、特に水濡れに注意する。便座を本体より６０ミリ程浮かし、その下に防水対策をしたスピーカー・システムの前面が便器の中心部に向くように配置する。便座が高くなる等の不都合にはフット・レストを設ける。
【００１７】  スピーカー・システムは出来るだけ小さい密閉型が良いが、小型にすることで低音による背圧を考慮して、ポートを設けるか位相反転型として、その開口部を湿気や水濡れに強い素材の吸音材で軽く押さえる方法も悪くない。このスピーカーのインピーダンスは４オームとする。
【００１８】  スピーカー・ボックスは内側を波型にした板を使い、材質は一般的な合板も考えられるが、湿気や水濡れに強く、成型し易いプラスチック製が良い。
【考案の効果】
【００１９】  アクティブ・ノイズ・コントロールは特に新しい考えでもなく、その技術を応用した商品は、例えば楽器やヘッドホンとして既に幾つか発売されている。またよく似た技術も様々な分野で応用されている。
【００２０】  日常よく使うステレオにも半世紀前にはこんな技術が使われていた。その頃の日本製のステレオにはプレイヤーのようにデザインはともかく、性能的には世界トップクラスのものも多かった。ところがスピーカーは親の言うことをきかない子供のように、入力に対して素直に応答せず、性能的には今一歩と言った製品が多く、その性能をカバーする為にアンプ側で負帰還をかけて何とかコントロールして使用する技術もあった。
【００２１】  そんな愛好家も暮らす一般家庭に、質の良い電気を送るための高圧送電系統等に高調波と反対位相の電流を流し込んで、高調波を打ち消し高調波対策をするアクティブ・フィルターを設置しているものもある。
【００２２】  これらの技術と兄弟のようなアクティブ・ノイズ・コントロールの技術を利用して、用便中の音が周囲に漏れることを気にする人が、心置きなく用を足すことが出来る。
【考案を実施するための最良の形態】
【００２３】  マイクは目的の音のみを拾い、不必要な音はカットするように指向性の鋭いエレクトリック・マイクを使用し、目的の音を拾い易く、しかも水濡れの心配をしなくても良い場所に吸盤やシャフトを使って固定する。【００２４】  このマイクは指先程の大きさのエレクトリック・マイクで、インピーダンスは６００オームとし、防水加工を施す。マイクのスタンド部分はプラスチック製で、折り曲げの可能なストローのように蛇腹になっていて任意の角度に曲げることが出来る。【００２５】  アンプは単体として壁等に固定するものと、スピーカー・ボックスの中に組み込むものとがある。どちらのものも元の位相に逆転した位相を重ね合わせることで音を打ち消しあうアクティブ・ノイズ・コントロールの技術をするので、コントロール・アンプ部分で入出力の比を微調整することが可能なものとする。その調整用つまみはアンプの前面等の使い勝手の良い位置に取り付ける。【００２６】  スピーカーの能率によって総合的なパワーは大きく左右されるので、能率の良いスピーカーを使い、パワー・アンプの出力は控え目の１０ワット以下とする。【００２７】  トイレのドアー等に接点を設け、使用時のみ電源が入るようにすれば節電に有効である。【００２８】  スピーカーは軽くて応答性の良い、防水処理したコーン型で、１ワットの入力に対して１メートルの地点で少なくとも８０デシベル、出来れば９０デシベル以上の能率の良いものを１６０から６０００ヘルツ程度の再生帯域で使用する。その為、口径１００ミリのフルレンジ型ならば１個又は２個、６０ミリのものを使用するときは４個を並列駆動する。【００２９】  それらを収めるスピーカー・ボックスは２種類あり、一つは直方体、今一つは三角柱の外観をしている。前者は主に壁に掛ける場合に使用し、便器前部斜め上方又は後部上方にシャフト等で固定する。後者は便器本体と便座との間に挟み固定する。
【図面の簡単な説明】
【００３０】
【図１】  マイクとマイクスタンド
【図２】  スピーカーと内臓されたアンプ
【符号の説明】
【００３１】  １    マイク
２    マイクスタンド
３    ゴム製吸盤
４    アンプ
５    調整つまみ
６    ローカット用つまみ
７    電源スイッチ
８    コの字形シャフト
９    支持シャフト
１０  スピーカー
【図１】
0003170548.tif 000003
【図２】
0003170548.tif 000004